(57)【要約】  本発明はメモリ（４）、データの受信及び供給しうるインターフェース（８）、並びに前記角膜の前記治療に用いる眼科的値を計算して前記インターフェース（８）に供給する処理装置（６）を含む角膜の治療を支援する装置であって、中心ケラトメトリックインデックス初期（ＫＣ）データ及び非球面性初期値（ＱＩ）データを前記インターフェース（８）で受信する場合に前記データを前記メモリ（４）内に記憶し、周辺ケラトメトリックインデックス（ＫＰ）を計算するため、前記中心ケラトメトリックインデックス初期値（ＫＣ）及び非球面性初期値（ＱＩ）データ並びに非球面性目標値（ＱＶ）データを用いて前記処理装置（６）に指示を出し、前記対応するデータを前記メモリ（４）内に記憶し、それらを前記インターフェース（８）に供給するよう構成されるスケジューラ（１０）をさらに含む、装置に関する。
2014531924.tif 000002
【特許請求の範囲】
【請求項１】
メモリ（４）、データの受信及び供給しうるインターフェース（８）、並びに前記角膜の前記治療に用いる眼科的値を計算して前記インターフェース（８）に供給する処理装置（６）を含む角膜の治療を支援する装置であって、中心ケラトメトリックインデックス初期（ＫＣ）データ及び非球面性初期値（ＱＩ）データを前記インターフェース（８）で受信する場合に前記データを前記メモリ（４）内に記憶し、周辺ケラトメトリックインデックス（ＫＰ）を計算するため、前記中心ケラトメトリックインデックス初期値（ＫＣ）及び非球面性初期値（ＱＩ）データ並びに非球面性目標値（ＱＶ）データを用いて前記処理装置（６）に指示を出し、前記対応するデータを前記メモリ（４）内に記憶し、それらを前記インターフェース（８）に供給するよう構成されるスケジューラ（１０）をさらに含む、装置。
【請求項２】
前記処理装置（６）は、２次の多項式から前記周辺ケラトメトリックインデックス（ＫＰ）を計算するよう構成され、前記中心ケラトメトリックインデックス初期値（ＫＣ）が前記変数である、請求項１に記載の装置。
【請求項３】
前記処理装置（６）は、２次の多項式から前記周辺ケラトメトリックインデックス（ＫＰ）を計算するよう構成され、これは前記非球面性初期値（ＱＩ）の前記信号及び／又は前記非球面性初期値（ＱＩ）と前記非球面性目標値（ＱＶ）の前記差の前記信号に依存する、請求項２に記載の装置。
【請求項４】
前記処理装置（６）は、前記インターフェースで受信された及び／又は前記メモリ（４）に記憶された年齢（Ａｇｅ）データから前記非球面性目標値（ＱＶ）を計算するよう構成される、請求項１〜３のいずれか１項に記載の装置。
【請求項５】
前記スケジューラ（１０）が、一次及び二次中心ケラトメトリックインデックス（ＫＣ１、ＫＣ２）データ、球及び円筒（Ｓ、Ｃ）データを受信し、修正中心ケラトメトリックインデックス（ＫＣ）及び非球面性中間値（ＱＬ）を計算するため前記データを用いて前記処理装置（６）に指示を出し、前記修正中心ケラトメトリックインデックス（ＫＣ）及び非球面性中間値（ＱＬ）データ並びに非球面性目標値（ＱＶ）データを用いて前記処理装置（６）に指示をして前記周辺ケラトメトリックインデックス（ＫＰ）を計算するようさらに構成される、請求項１〜４のいずれか１項に記載の装置。
【請求項６】
角膜の治療を支援する計算方法であって、
ａ）中心ケラトメトリックインデックス初期（ＫＣ）データ及び非球面性初期値（ＱＩ）データを受信するステップ；
ｂ）前記中心ケラトメトリックインデックス初期（ＫＣ）データ及び非球面性初期値（ＱＩ）データから、並びに非球面性目標値（ＱＶ）データから、周辺ケラトメトリックインデックス（ＫＰ）を計算するステップ；及び
ｃ）対応する周辺ケラトメトリックインデックス（ＫＰ）データを記憶し、供給するステップ；
を含む、方法。
【請求項７】
ステップｂ）は、前記中心ケラトメトリックインデックス初期（ＫＣ）データが前記変数である２次の多項式の前記使用を含む、請求項６に記載の方法。
【請求項８】
前記２次の多項式は、前記非球面性初期値（ＱＩ）の前記信号及び／又は前記非球面性初期値（ＱＩ）と前記非球面性目標値（ＱＶ）の前記差の前記信号に依存する、請求項７に記載の方法。
【請求項９】
前記非球面性目標値（ＱＶ）は、ステップａ）で受信された年齢（Ａｇｅ）データから前記処理装置（６）により決定される、請求項６〜８のうちのいずれか１項に記載の方法。
【請求項１０】
ステップａ）は一次及び二次中心ケラトメトリックインデックス（ＫＣ１、ＫＣ２）データ並びに球及び円筒（Ｓ、Ｃ）データを受信するステップを含み、前記データ（ＫＣ１、ＫＣ２、Ｓ、Ｃ）は修正中心ケラトメトリックインデックス（ＫＣ）及び非球面性中間値（ＱＬ）を計算するのに用いられ、ステップｂ）は前記周辺ケラトメトリックインデックス（ＫＰ）を計算するのに前記修正中心ケラトメトリックインデックス（ＫＣ）及び非球面性中間値（ＱＬ）データ並びに非球面性目標値（ＱＶ）データを用いる、請求項６〜９のうちのいずれか１項に記載の方法。
【発明の詳細な説明】
【技術分野】
【０００１】
本発明は眼科学の分野に関し、より詳細にはレーザー手術の分野に関する。
【背景技術】
【０００２】
レーザー手術による近視及び老眼の矯正の分野は比較的歴史が浅く、過去１０年間に多くの知見及び進歩が得られている。
【０００３】
しかし、当該分野は今なお研究の最前線にあり、方法の成熟度は未だ相対的である。つまり、現時点で特に近視及び老眼両者の十分な矯正を行える手術がない。
【発明の概要】
【発明が解決しようとする課題】
【０００４】
本発明は当該状況を改善する。
【課題を解決するための手段】
【０００５】
このため、本発明は角膜の治療を支援する装置を提案し、当該装置はメモリ、データの受信及び供給を行えるインターフェース並びに角膜の治療に用いる眼科的値を計算し、インターフェースに供給するための処理装置を含む。
【０００６】
当該装置は、中心ケラトメトリックインデックス初期データ及び非球面性値初期データをインターフェースで受信する場合、当該データをメモリ内に記憶し、周辺ケラトメトリックインデックスを計算するため、当該中心ケラトメトリックインデックス初期データ及び非球面性値初期データ並びに非球面性目標値を用いて処理装置に指示し、対応するデータをメモリ内に記憶しインターフェースに供給するよう構成されるスケジューラをさらに含む。
【０００７】
本発明は角膜の治療を支援する方法にも関し、当該方法は、ａ）中心ケラトメトリックインデックス初期データ及び非球面性値初期データを受信するステップ；ｂ）中心ケラトメトリックインデックス初期データ及び非球面性値初期データ並びに非球面性目標値データから、周辺ケラトメトリックインデックスを計算するステップ；及びｃ）対応する周辺ケラトメトリックインデックスデータを記憶し、供給するステップ；を含む。
【０００８】
本発明のその他の特徴及び利点は以下の詳細な説明で明らかであり、当該説明は、例示され、これに限定されない実施例に言及し、また下記の図面にも言及する。
【図面の簡単な説明】
【０００９】
【図１】図１は眼球の視覚図を示す。
【図２】図２は、眼球の３つのケラトメトリックプロファイルを示す。
【図３】図３は従来技術の方法の図を示す。
【図４】図４は本発明による装置の図を示す。
【図５】図４の装置による方法の実施の実施例のフロー図を示す。
【図６】図５の関数の実施の実施例を示す。
【図７】図５の関数の実施の実施例を示す。
【図８】図５の関数の実施の実施例を示す。
【図９】図４の装置による方法の実施の別の実施例のフロー図を示す。
【００１０】
図面及び下記の説明は、その大部分は特定の性質の要素を含む。従ってそれらは本発明のより深い理解に役立ち、適切な場合は本発明の定義にも寄与する。
【００１１】
本発明の説明の性質は、ロイヤリティ及び／又は著作権による保護を受ける要素を含む。権利保有者は、公式書類に記載の通り、本特許文書又は当該説明が複製されるのに異議はない。残りの部分は権利保有者が権利全体を保有する。
【００１２】
詳細な説明は附属書Ａにより補完され、本発明の文脈で用いられるいくつかの数式の定式化を提供する。当該附属書は、明確化を目的とし、相互参照を促進するのに提供される。附属書は説明の不可分の一部であり、本発明のより深い理解に役立ち、適切な場合は本発明の定義にも寄与する。
【発明を実施するための形態】
【００１３】
図１は、眼球内の視覚のモデル化を可能にする視覚図を示す。眼球１２は、角膜１４、虹彩１６、水晶体（図示せず）及び網膜１８を含む。
【００１４】
角膜１４は光線を集めるレンズとして機能し、虹彩１６は絞りとして機能し、網膜１８は光受容体として機能する。理想的には、角膜１４は扁長楕円体であり、網膜１８から網膜１８上で焦点があった状態で全ての画像が形成される距離にある（球面収差が０）。
【００１５】
当該状態は通常は起こらない。図２から分かるように３つの主要な種類の角膜プロファイルが存在する：
―図２の一本線網掛けの部分のような、ケラトメトリックインデックスが周辺部よりも眼球中心部でわずかに大きいため、非球面性Ｑ＜０となる扁長楕円体プロファイル、
―ケラトメトリックインデックスが眼球全体で一定である（Ｑ＝０）球状プロファイル、
―図２の二本線網掛けの部分のような、ケラトメトリックインデックスが周辺部よりも眼球中心部でわずかに小さいため、非球面性Ｑ＞０となる扁平楕円体プロファイル。
【００１６】
概して、近視力がより良好であるには扁長楕円体又は扁長度がわずかに大きい扁長楕円体プロファイルが好ましい。扁平楕円体プロファイルは遠視力、特に夜間視力に有害である。
【００１７】
近視及び遠視は霧視の原因となる２つの眼科的病態である。近視では眼球の状態は長すぎ、角膜１４の焦点面より後に網膜１８が配置される。従って遠方像に対応する光線は正しく焦点が合わず、遠視力は鮮明でない。遠視の場合はこの反対で、眼球の状態が短すぎる。しかしこの場合は人間の眼球は当該不具合を部分的に補うために収縮しうる。もう１つの眼科的病態が老眼である。
【００１８】
近視は、眼球の当該不具合を補うために角膜１４のケラトメトリックプロファイルを変化させてレーザーで矯正しうる。これを例えば図３に示し、この場合眼球の中心部のケラトメトリックインデックスを４３から３７に減少させて―６．００ジオプトリーの近視である眼球に矯正される。当該治療の問題は扁平楕円体プロファイルが起こることである。
【００１９】
当該問題は高齢者で深刻である。人間の眼球は、４０歳から近視力の焦点を合わせるのに必要な水晶体を変形させるための収縮能を徐々に失う。
【００２０】
これは眼球が扁平楕円体プロファイルである場合にさらに悪化する。老眼を補うために拡大鏡を追加しうるが、そうするともはや遠視力は獲得しえない。従って現在まで、近視及び老眼を共に外科的には治療しえず、また遠視力又は近視力のいずれかに悪影響を及ぼさずに２つのうちの１つを単独で治療しえないと考えられる。現在、存在する唯一の治療は、片方の眼球に遠視力治療を行い、もう片方の眼球の近視力治療を行うものである。当該治療はモノビジョンという“シーソー構造”がおきる。しかし当該治療では満足のいく結果は得られない。
【００２１】
出願人は、ゼルニケ多項式の研究と、上記病態の治療への当該応用研究を行った。従来、多項式Ｃ４のみが有用で、これより高次の全ての多項式は有効でないと考えられていた。
【００２２】
出願人は、遠視力及び近視力を同時に治療するために当該多項式の一つ、より正確にはＣ１２を、多項式Ｃ４と組み合わせうることを見出した。
【００２３】
より正確には、出願人は多項式Ｃ１２から角膜プロファイルを計算しうること、及び当該プロファイルが遠視力に影響を及ぼさずに近視力に関する問題を治療しうることを見出した。
【００２４】
簡潔に説明すると、当該治療は、わずかな扁長楕円形状の眼球を用いて主に周辺部で作業を行った角膜プロファイルを作り出す。その結果生じる非球面性は近視力の改善に有利に用いられ、この際、遠視力は主に眼球の中心部にあるため影響を受けない。当該方法はｉｓｏｖｉｓｉｏｎといい、モノビジョンとは異なり、各眼球が遠近共に優れた視力を獲得しうる。
【００２５】
当該知見は、当該治療が能力を発揮できるほど十分に強力ではない又は遠視力を失う代償によるとの確立された全ての偏見に逆らう。
【００２６】
図４は、本発明の眼科的治療の計算装置の簡略図を示す。
【００２７】
装置２は、メモリ４、処理装置６、インターフェース８及びスケジューラ１０を含む。
【００２８】
本書に記載の実施例では、メモリ４は従来の記憶媒体であり、これはハードディスクドライブ又はソリッドステートドライブ（ＳＳＤ）、フラッシュ又はＲＯＭメモリ、物理的記憶媒体、例えばコンパクトディスク（ＣＤ）、ＤＶＤディスク、ブルーレイディスク、あるいはその他あらゆるタイプの物理的記憶媒体であってよい。記憶装置４は、ストレージエリアネットワーク（ＳＡＮ）上、又はインターネット上、又は概して“クラウド”内などの遠隔にあってもよい。
【００２９】
本書に記載の実施例では、処理装置６はソフトウェア要素であり、それらを内蔵するコンピュータにより実行される。しかしこれは複数のコンピュータ上で分配方式で実行されてよく、またはこれはプリント回路（ＡＳＩＣ、ＦＰＧＡ又は同様のもの）の形態であってよく、または専用シングルコア又はマルチコアマイクロプロセッサ（ＮｏＣ又はＳｏＣ）の形態であってよい。
【００３０】
インターフェース８は、眼科的治療を望む患者に関するパラメータを施術者が入力でき、必要な場合は当該パラメータのいくつかをも調節しうる。インターフェース８は電子的であってよく、すなわち装置２と、施術者と装置２を相互作用しうる他の装置とのリンクであってよい。インターフェース８は当該装置も含んでよく、例えば施術者とコミュニケーションしうるディスプレイ及び／又はスピーカーを含む。
【００３１】
スケジューラ１０は、本発明の治療を実施するために処理装置６及びインターフェース８を選択的に制御し、メモリ４にアクセスする。
【００３２】
図５は、近視力の不具合を治療する図３の装置により実施される角膜プロファイルの計算の第１の実施例のフロー図を示す。
【００３３】
当該処理はパラメータＫＣ、ＱＩ及び年齢を受信して演算５００から始まる。当該パラメータは、例えば前回検査時に取得された時点等でメモリ４に予め記憶しうる。これらはインターフェース８で手作業入力でき又は同一インターフェース若しくは他のインターフェースによる測定装置から受信しうる。
【００３４】
パラメータＫＣは平均中心ケラトメトリックインデックスを表す。当該インデックスは、例えば、直径３ｍｍの中心ゾーンの２つの軸に沿って角膜の平均曲率半径を測定し、当該値を平均して獲得しうる。この種の測定では、図２及び３に示す種類のケラトメトリックプロファイルを獲得しうる。
【００３５】
パラメータＱＩは眼球の初期非球面性を表す。ケラトメトリックプロファイルを入手して、（例えば値４３の）中心ケラトメトリックインデックスと測定されたプロファイルの間の領域に比例する当該パラメータを決定しうる。
【００３６】
最後に、パラメータＡｇｅは患者の年齢である。当該パラメータは、非球面性目標値ＱＶを決定するために演算５１０で用いられる。このために関数ｆ（）がパラメータＡｇｅと共に呼び出される。値ＱＶの決定は、例えば次表から獲得されうる。
【００３７】
【表１】
2014531924.tif 000003
【００３８】
パラメータＱＶが決定されると、近視力の矯正を実施しうる角膜プロファイルの計算が開始される。
【００３９】
これにより演算５２０では、初期非球面性パラメータＱＩに関するテストが実行される。
【００４０】
ＱＩが厳密に正の値である場合、非球面性を著しく低下させなければならないという事実を考慮するために特定の処理が提供され、演算５３０で関数Ｐｒｏｆ１（）が実行される。実際には、これは周辺角膜インデックスＫＰがはじめは中心角膜インデックスＫＣよりも大きく、わずかに扁長楕円形のプロファイルを得るために周辺部で角膜を“くりぬき”、ＫＰを低下させる必要があることを意味する。
【００４１】
図６は関数Ｐｒｏｆ１（）の実施の実施例を示す。関数Ｐｒｏｆ１（）は、パラメータＱＩ、ＱＶ及びＫＣを初期演算６００で独立変数として受信する。
【００４２】
次に演算６１０で、確立されるべき角膜プロファイルの周辺ケラトメトリックインデックスの値の開始値としてパラメータＫＣが用いられる。周辺ケラトメトリックインデックスＫＰは、眼球の中心の６．５〜８．０ｍｍの半径のゾーン内で中心ケラトメトリックインデックスと同様の方法で測定しうる。当該ゾーンを指定すると近視力が改善しうる。
【００４３】
次に演算６２０で、数値ＮがパラメータＫＣ、ＫＰ及びＱＶから関数ＤＮ１（）で決定され、これを以下に説明する。結果得られる数値Ｎは０〜−２で構成される。
【００４４】
次に演算６３０で数値Ｎに対してテストが実行される。数値Ｎが−２の場合、これはＫＰの計算が複数回実施される必要があることを意味する。次に周辺インデックスＫＰが演算６４０でまず修正され、次に演算６２０が繰り返される。
【００４５】
数値Ｎが−２より大きい場合、すなわち０〜−２の場合、演算６５０で関数Ｔ１（）によりＫＰの計算が実施される。
【００４６】
関数Ｔ１（）は、附属書Ａの式［１０］に示すようにその和が数値Ｎに等しい２つのパラメータＮ１及びＮ２の使用に基づく。さらに関数Ｔ１（）はＫＣにも依存する。附属書Ａの［２０］を参照するとＴ１（）の式が与えられる。
【００４７】
本書に記載の実施例では、数値Ｎの値はパラメータＮ１の値を間接的に定義し、パラメータＮ２の値は減算により得られうる。例えばＮが−１．０５の場合、Ｎ１は０．１、Ｎ２が−０．９５であり、Ｎが−０．４の場合、Ｎ１が０、Ｎ２が−０．４であり、Ｎが−１．８３の場合、Ｎ１が０．９、Ｎ２が−０．９３などである。概してＮ、Ｎ１及びＮ２の関係性は、計算則により又は参照テーブルにより定義されてよい。
【００４８】
演算６５０が完了すると、最終的な非球面性ＱＦが演算６６０で計算される。
【００４９】
数値Ｎの計算はＱＦとＱＩの差が０．０１未満となるように実施される。従って、数値Ｎを決定するため、適切な数値Ｎを見つけるために範囲［０；−２］が探索される。当該結果は、演算６２０に続いて演算６４０及び６５０並びに６６０が行われることである。変化形態では、当該演算に関して説明された計算が同様に繰り返されてよい。
【００５０】
換言すると、非球面性目標値ＱＶに十分に到達するまで、０から−２の範囲のスキャンを行い、毎回対応する周辺ケラトメトリックインデックスＫＰを並びに対応する最終的な非球面性を計算して関数ＤＮ１（）は数値Ｎを決定する。
【００５１】
もし当該範囲内に対応する値が存在しなければ、Ｎは−２に固定され、ＫＰは修正され、検索が再度行われる。非球面性目標値ＱＶに近い非球面性が得られるまでこれが繰り返される。実際には通常は２パスで十分である。
【００５２】
０〜−２の範囲の探索は多種多様な方法、例えば線形経路、二分法又はできる限り迅速に収束しうるあらゆるアルゴリズムにより実施されてよい。
【００５３】
演算５３０が実行されると、手術者は中心角膜インデックスＫＣ及び周辺角膜インデックスＫＰを共に入手しているため近視力の矯正を行うためにレーザーの調節を行いうる。
【００５４】
初期非球面性がマイナスの場合、第２のテストが演算５４０で実施される。当該演算では、初期非球面性ＱＩが非球面性目標値ＱＶより大きいか小さいかが決定される。
【００５５】
第１のケースでは、非球面性を低下させるために周辺部でのわずかな“くりぬき”がやはり必要である。一方第２のケースでは、非球面性を高めるためにより中心に近い部分の“くりぬき”が必要となる。
【００５６】
第１のケースでは関数Ｐｒｏｆ２（）が演算５５０で実行される。関数Ｐｒｏｆ２（）の実施の一例を図７に示す。関数Ｐｒｏｆ２（）は関数Ｐｒｏｆ１（）に酷似し、同じ１０の倍数の参照番号が付与された演算は同一である。
【００５７】
関数Ｐｒｏｆ１（）及び関数Ｐｒｏｆ２（）の間では２つの要素が異なる。まず、インデックスＫＰは、インデックスＫＣではなく関数ｇ（）により初期化される。関数ｇ（）は附属書Ａの式［５０］により定義される。次に、ＫＰの計算は関数Ｔ１（）に依存するが、演算６４０及び６５０用の１．５の倍率の代わりに演算７４０及び７５０では１の倍率を用いる。
【００５８】
第２のケースでは関数Ｐｒｏｆ３（）が演算５６０で実行される。関数Ｐｒｏｆ３（）の実施の一例を図８に示す。関数Ｐｒｏｆ３（）は関数Ｐｒｏｆ２（）に酷似し、同じ１０の倍数の参照番号が付与された演算は同一である。
【００５９】
関数Ｐｒｏｆ１（）及び関数Ｐｒｏｆ２（）の間では２つの要素が異なる。まず、演算８２０で数値Ｎは関数ＤＮ１でなく、関数ＤＮ２を用いて計算される。これは、演算８４０及び８５０のＫＰの計算が関数Ｔ２（）を用いて実施される事実に起因する。関数Ｔ２（）の式は附属書Ａの式［６０］に提示される。次に関数Ｐｒｏｆ３（）は、数値Ｎが０〜−２ではなく０〜１の範囲にあるという点で異なる。
【００６０】
図９は、図５を実施する別の実施例を示す。当該実施形態では、近視力及び遠視力をともに矯正するために角膜プロファイルが計算される。
【００６１】
これを行うために、最初の演算９００でパラメータＫＣ１、ＫＣ２、Ｓ、Ｃ、Ａ、ＱＩ及びＡｇｅが受信される。
【００６２】
パラメータＫＣ１及びＫＣ２は、２つの直交する軸による中心ケラトメトリックインデックスであり、パラメータＳは球、パラメータＣが円筒、パラメータＡが軸である。
【００６３】
当該パラメータは、例えば前回検査時に取得された場合等にメモリ４に予め記憶しうる。これらはインターフェース８で手作業でも入力でき又は同一インターフェース若しくは別のインターフェースによる測定装置から受信しうる。
【００６４】
次に、演算５１０と同一である演算９１０で非球面性目標値ＱＶが計算される。
【００６５】
次に、中心ケラトメトリックインデックスＫＣがケラトメトリックインデックスＫＣ１及びＫＣ２を平均して演算９１２で計算され、その後ケラトメトリックインデックスＫＰが演算７２０及び８２０と同一の演算９１４で計算される。
【００６６】
次に等価球面度数ＳＥが演算９１６で決定され、その後演算９１６の等価球面度数を加えて演算９１８で遠視力を矯正しうる中心ケラトメトリックインデックスＫＣが計算される。
【００６７】
それらの演算が実施されたら、近視力用の周辺ケラトメトリックインデックスＫＰの計算が図５と同様に計算され、もはや関数Ｐｒｏｆ２（）及びＰｒｏｆ（３）でＫＰを計算する必要がない以外は演算９２０〜９６０は演算５２０〜５６０と同一である。
【００６８】
それらの演算全てが実施されたら、ＫＣ、遠視力用の軸Ａ及び近視力用のＫＰを用いてレーザー治療が実施されうる。
【００６９】
上記の説明から、角膜の中心及び周辺の両者を考慮する角膜プロファイルの定義に基づく治療を出願人が発見したことが明らかである。
【００７０】
目的はわずかに扁長楕円形の角膜プロファイルを得ることであり、その非球面性が近視力を改善しうる。当該プロファイルは角膜の独立した部分に作られるため、近視力の矯正及び遠視力の矯正が同一眼球上で達成されうる。
【００７１】
従って、周辺ケラトメトリックインデックスが計算され、任意で中心ケラトメトリックインデックスも計算され、当該インデックスは、近視力の矯正及び任意で遠視力の矯正を行うために外科的治療、例えばレーザー治療を実施するのに用いられうる。
【００７２】
さらに、これらの計算は水晶体プロファイルの計算にも適しうると考えられる。水晶体は角膜上にあるため、本書で説明した本発明は水晶体の形状を定義するために用いられてよく、同一の結果が得られる。
【００７３】
本書で説明した装置は、眼科手術用のレーザー装置又は眼鏡レンズの製造用装置と一体化されてよく又は当該装置から分離されてよい。
【００７４】
異なる改良形態では、装置は次の特徴を備えてよい：
―周辺ケラトメトリックインデックス（ＫＰ）が２次の多項式から計算され、この場合中心ケラトメトリックインデックス初期値（ＫＣ）が変数である、
―２次の多項式は、非球面性初期値（ＱＩ）の信号及び／又は非球面性初期値（ＱＩ）と非球面性目標値（ＱＶ）の差の信号に依存する、
―非球面性目標値（ＱＶ）は、インターフェースで受信された及び／又はメモリ（４）に記憶された年齢（Ａｇｅ）データから処理装置（６）により決定される、
―スケジューラ（１０）は、一次及び二次中心ケラトメトリックインデックス（Ｋ１、Ｋ２）データ、球及び円筒（Ｓ、Ｃ）データを受信し、修正中心ケラトメトリックインデックス（ＫＣ）及び非球面性中間値（ＱＬ）を計算するため当該データを用いて処理装置（６）に指示を出し、修正中心ケラトメトリックインデックス（ＫＣ）及び非球面性中間値（ＱＬ）データ並びに非球面性目標値（ＱＶ）データを用いて処理装置（６）に指示を出して周辺ケラトメトリックインデックス（ＫＰ）を計算するようさらに構成される。
【００７５】
異なる変化形態では、方法は次の特徴があってよい：
―手順ｂ）は、中心ケラトメトリックインデックス初期値（ＫＣ）が変数である２次の多項式の使用を含み、
―２次の多項式は、非球面性初期値（ＱＩ）の信号及び／又は非球面性初期値（ＱＩ）と非球面性目標値（ＱＶ）の差の信号に依存する、
―非球面性目標値（ＱＶ）は、手順ａ）で受信した年齢（Ａｇｅ）データから処理装置（６）により決定され、
―手順ａ）は、一次及び二次中心ケラトメトリックインデックス（Ｋ１、Ｋ２）データ及び球及び円筒（Ｓ、Ｃ）データを受信するステップを含み、それらのデータ（Ｋ１、Ｋ２、Ｓ、Ｃ）は修正中心ケラトメトリックインデックス（ＫＣ）及び非球面性中間値（ＱＬ）を計算するために使用され、ステップｂ）は、修正中心ケラトメトリックインデックス（ＫＣ）及び非球面性中間値（ＱＬ）データ並びに非球面性目標値（ＱＶ）データを周辺ケラトメトリックインデックス（ＫＰ）を計算するために用いる。
附属書Ａ
【表２】
2014531924.tif 000004
【図１】
2014531924.tif 000005
【図２】
2014531924.tif 000006
【図３】
2014531924.tif 000007
【図４】
2014531924.tif 000008
【図５】
2014531924.tif 000009
【図６】
2014531924.tif 000010
【図７】
2014531924.tif 000011
【図８】
2014531924.tif 000012
【図９】
2014531924.tif 000013
【国際調査報告】
2014531924.tif 000014
2014531924.tif 000015
2014531924.tif 000016
2014531924.tif 000017
2014531924.tif 000018
2014531924.tif 000019